(57)【特許請求の範囲】
【請求項１】
風力発電装置のパイロンセグメントの保護足であって、
前記パイロンセグメント（１００）の一端を受ける底部プレート（１）と、および
前記パイロンセグメントの第１端に解除可能に固定される固定ユニットと、
を備え、
前記固定ユニットは、ねじ（３）を有する拡開ユニット（２）として形成され、
前記拡開ユニットは、前記ねじのねじ込みによって拡開される、
保護足。
【請求項２】
さらに、前記底部プレート（１）に固定された、少なくとも一つの側部（４，８）を備える、請求項１記載の保護足。
【請求項３】
前記固定ユニットは、調節ねじ（６）を有する顎状ユニット（５）として形成され、乃至、前記固定ユニットは、前記側部ないし側壁に設けられ、前記パイロンセグメントの前記第１端をクランプするよう構成される、請求項１又は２記載の保護足。
【請求項４】
前記底部プレート（１）及び／又は側部（８）は、ポリウレタン製の基材を有する、請求項１〜３のいずれか一に記載の保護足。
【請求項５】
さらに、前記底部プレートの下面（１ａ）に、及び／又は、前記底部プレートの上面（１ｂ）の一部に滑り止めユニットを備える、請求項１〜４のいずれか一に記載の保護足。
【請求項６】
請求項１〜５のいずれか一に記載された少なくとも一つの保護足を備える風力発電装置のパイロンセグメント。
【請求項７】
風力発電装置のパイロンセグメントの輸送時ないし保管時における、請求項１〜５のいずれか一に記載の保護足の使用。
【発明の詳細な説明】
【技術分野】
【０００１】
本発明は、積荷ユニットないし単位製品アイテム、特に、コンクリート製パイロン部分セグメントに関する。
【背景技術】
【０００２】
従来、例えばパイロン部セグメントないし（コンクリート製）パイロン部分セグメントは、その下に敷かれる木製ブロックによって、木製ブロックの下の地面から受ける損傷から保護されている。横ずれ防止のため、ゴム製マットを、製品アイテムと木製ブロックの間に挟むことができ、また、木製ブロックとその下の地面との間に敷くことができる。或いは、さらに例えば、貨物船による輸送時において、製品アイテムの横（水平方向）ずれ防止のため、鋼製の足及び／又はストッパプレートを輸送床面に溶接することもできる。
【先行技術文献】
【特許文献】
【０００３】
【特許文献１】DD 154 785 A3
【発明の概要】
【発明が解決しようとする課題】
【０００４】
木製ブロックおよびゴム製マットを用いる場合、輸送時にスリップするおそれがあり、これによって、製品アイテムは十分な保護をもはや享受しない。横ずれ回避のための鋼製の足の使用は、輸送品の製品アイテムを損傷するおそれを内在している。木製ブロックとゴム製マットの間の継続的な使用は、かなりのレベルの面倒と費用を発生させる。荷物を降ろす際、製品アイテムは、新しい木製ブロックおよびゴム製マットによって保護されるべきにもかかわらず、それら（木製ブロックおよびゴム製マット）は、まず留置されその後、次の使用に備えて集積される。それらが、怠慢な取扱い（忘れたり又は捨てられたり）のため、もはや見つけることができなくなることが起こり得、これによって、再利用ができなくなる。その上、この種の製品アイテム（積荷）の安全な保護は、取扱者によって危険を伴うものである。
【０００５】
一般的な技術水準として、DD 154 785 A3（特許文献１）が指摘される。
【０００６】
本発明の目的は、輸送および保管時に使用される製品アイテム（積荷ユニット）の保護足、特に、輸送および保管時に使用されるパイロン部分セグメント用の保護足を提供することである。
【課題を解決するための手段】
【０００７】
この目的は、請求項１の保護足によって達成される。即ち、本発明の第１の視点において、風力発電装置のパイロンセグメントの保護足が提供される。該保護足は、前記パイロンセグメント（アイテム）の一端を受ける底部プレートと、および前記パイロンセグメントの第１端に解除可能に固定される固定ユニットと、を備える。前記固定ユニットは、ねじを有する拡開ユニット（２）として形成され、前記拡開ユニットは、前記ねじのねじ込みによって拡開される。
第２の視点において、該保護足を備える風力発電装置のパイロンセグメントが提供される。
第３の視点において、該保護足は、風力発電装置のパイロンセグメントの輸送時ないし保管時に使用される。
なお、特許請求の範囲に付記した図面参照符号は、専ら理解を助けるためのものであり、図示の態様に限定することを意図するものではない。
【０００８】
この保護足は、所定長さの（実質的に水平方向の）部分（以下「底部プレート」と称する）と、この保護足を製品アイテムに解除可能に固定する少なくとも一つ固定ユニットと、を備えている。
【０００９】
本発明は、製品アイテムに、永続的にしかし脱着可能に取付けられる保護足を提供するという考えに関する。これは、輸送と中間保管の間、製品アイテムを安全に保護するために掛かる手間と対する費用を大幅に削減させる。これによって、通常、荷揚げ操作の際必要となる、製品アイテムを安全に保護するための作業工程の大部分を省くことができ、時間と費用の節約につながる。同時に、輸送者に対する危険は、輸送時における安全確保ないし固定工程が消滅することによって、大きく減少する。
【００１０】
そのような保護足がさらに簡単に取り付け又は取り外されることができるならば、保護足は再利用可能であり、これによって、資源と費用が節約される。これは、コンパクトな形状の保護足によって更に促進される。返送ないしさらなる輸送が、不必要に困難にはならないからである。
【００１１】
再利用性は、原料にポリウレタンを使用することによって、さらに高められる。この場合、保護足を詰め物によって修復することができる。これにより、損傷した保護足が廃棄されず、修復されて、再利用に供されるということになる。
【００１２】
輸送時の横ずれによる損傷からの製品アイテムの保護は、底部プレートに対する側部の取り付けによって、達成される。そのうえ、底部プレートから垂直方向に立ちあがる側部は、積荷を横ずれ（水平）運動から安全に確保するストッパプレートとの接触面として機能することができる。
【００１３】
ドレン溝は、保護足の中に浸入した水を排水可能であり、さもなければ水が溜まって、例えば霜の発生時には変形による損害の原因となることがある。
【００１４】
製品アイテムが輸送床面上でスリップすることを防止するため、ゴム製コーティング又は滑り止めユニット（滑り止めマット）を、足の裏側に接着することができる。更なる改善として、又、保護足上の製品アイテムおよび輸送床面上での積荷全体のスリップを防止する保護材を提供するため、足全体をゴムでコーティングすることができる。さもなくば、保護足が、重い製品アイテムの横ずれによって発生するせん断力を受け止めることができない点において、これは重要な意義がある。ゴム製コーティングが十分な制動力を提供することは、経験から示されている。永続的なゴム製コーティングによって、保護足の裏に、別途、ゴムマットを敷くことは不要とされる。
【００１５】
本発明のさらなる構成は従属クレームの対象である。
即ち、保護足は、さらに、前記底部プレートに固定された、少なくとも一つの側部を備える。
保護足において、前記固定ユニットは、調節ねじを有する顎状ユニットとして形成され、乃至、前記固定ユニットは、前記側部ないし側壁に設けられ、前記パイロンセグメントの前記第１端をクランプするよう構成される
保護足において、前記底部プレート及び／又は側部は、ポリウレタン製の基材を有する。
保護足は、さらに、前記底部プレートの下面に、及び／又は、前記底部プレートの上面の一部に滑り止めユニットを備える。
【００１６】
本発明の利点および実施の形態は、以下図面を参照して詳述する。
【図面の簡単な説明】
【００１７】
【図１】第１の実施形態に係る保護足の断面を示す模式図である。
【図２】第２の実施形態に係る保護足の断面を示す模式図である。
【図３】第３の実施形態に係る保護足の断面を示す模式図である。
【図４】第４の実施形態に係る保護足の断面を示す模式図である。
【図５】第５の実施形態に係る保護足の断面を示す模式図である。
【図６】第６の実施形態に係る保護足の断面を示す模式図である。
【図７】第７の実施形態に係る保護足の断面を示す模式図である。
【図８】第８の実施形態に係る保護足の断面を示す模式図である。
【図９】第９の実施形態に係る保護足を示す模式図である。
【発明を実施するための形態】
【００１８】
本発明の一実施形態の概要について、図面を参照して説明する。なお、特許請求の範囲およびこの概要等に付記した図面参照符号は、理解を助けるための一例として各要素に便宜上付記したものであり、本発明を図示の態様に限定することを意図するものではない。
図１は、実施形態１に係る保護足の断面図を示す模式図である。保護足１０は、底部プレート１と側部（複数）７を備えている。例えば、風力発電装置のパイロンセグメントのような製品アイテム１００のため、図１に示した保護足１０は、製品アイテム１００ないしその第１端（１１０）に固定することができる。これは、底部プレート１に接続され、内側に傾斜した側部７によって達成され、側部７は、製品アイテム１００が所定位置に嵌合する際には外側へ引張られ、外側への引張を解除した後には、製品アイテム１００を押圧付勢する。側部７を（外側へ）引張ることにより、保護足は簡単に取外しできる。
【００１９】
適宜、第１の滑り止めユニット（滑り止めマット）２００を、底部プレート１の下側（１ａ）に設けることができる。また適宜、第２の滑り止めユニット（滑り止めマット）２１０を底部プレートの上側（１ｂ）に設けることができる。
【００２０】
図２は、実施形態２に係る保護足の断面を示す模式図である。実施形態２は、実施形態１の変形例を示している。保護足１０は、底部プレート１と側部（複数）７を備えている。この実施形態の場合、側部７は、傾斜していないが、底部プレート１から直角方向に直立している。このような形状の側部７は、例えば、貨物船上での横（水平方向）ずれを防止するストッパプレート（複数）を受ける機能を同時に発揮することができる。
【００２１】
適宜、第１の滑り止めユニット（滑り止めマット）２００を、底部プレート１の下側（１ａ）に設けることができる。また適宜、第２の滑り止めユニット（滑り止めマット）２１０を底部プレートの上側（１ｂ）に設けることができる。
【００２２】
図３は、実施形態３に係る保護足の断面を示す模式図である。保護足１０は、底部プレート１と側部（複数）８を備えている。この実施形態の場合、側部８は、実施形態１および２のように、付勢されない。保護足１０には、可動顎部（複数）５が設けられ、可動顎部５（複数）は、調整ねじ６による万力の原理にしたがって、製品アイテム１００ないしその第１端１１０に対してそれぞれ押圧可能である。保護足１０は、単に可動顎部５を解放することによって、製品アイテム１００から取り外すことができる。
【００２３】
適宜、第１の滑り止めユニット（滑り止めマット）２００を、底部プレート１の下側（１ａ）に設けることができる。また適宜、第２の滑り止めユニット（滑り止めマット）２１０を底部プレートの上側（１ｂ）に設けることができる。
【００２４】
図４は、実施形態４に係る保護足の断面を示す模式図である。この形態の場合、保護足１０は、底部プレート１と、第１および第２の側部４，８を備えている。第１および第２の側部４，８は、好ましくは、（実施形態１および２のようには）予圧されていない。第１の側部８に設けられた可動顎部５は、調整ねじによる万力の原理にしたがって、製品アイテム１００ないしその第１端１１０に対してそれぞれ押圧可能である。第２の側部４は、好ましくは、締め付けデバイスを有しておらず、保護足１０は、可動顎部５と調節ねじ６の機能によって、製品アイテム１００の下端に固定される。側部（複数）は、横ずれを保護するストッパプレート（複数）を受ける機能を発揮することができる。
【００２５】
適宜、第１の滑り止めユニット（滑り止めマット）２００を、底部プレート１の下側（１ａ）に設けることができる。また適宜、第２の滑り止めユニット（滑り止めマット）２１０を底部プレートの上側（１ｂ）に設けることができる。
【００２６】
図５は、実施形態５に係る保護足の断面を示す模式図である。この実施形態の場合、保護足１０は、底部プレート１と、保護足１０を製品アイテム１００に固定するための固定ユニット２，３を備えている。固定ユニット（２，３）は、拡開ユニット２と、拡開ピンの原理に基づいて用いることができるねじ３を備え、換言すると、ねじ３が拡開ユニット２にねじ込まれるとき、拡開ユニット２の幅が広がることによって、固定ユニット（２，３）が、製品アイテム１００内の孔内に固定可能となる。このように、保護足１０は、ネジ３の締め込みによって、製品アイテム１００に固定することができる。実施形態５は、特に、側壁がベース面から直角方向に延在していない製品アイテム１００に関して、特に有利である。
【００２７】
適宜、第１の滑り止めユニット（滑り止めマット）２００を、底部プレート１の下側（１ａ）に設けることができる。また適宜、第２の滑り止めユニット（滑り止めマット）２１０を底部プレートの上側（１ｂ）に設けることができる。
【００２８】
図６は、実施形態６に係る保護足の断面を示す模式図である。この実施形態の場合、保護足１０は、底部プレート１と側壁（複数）８を備えている。保護足１０は、さらに、固定ユニット２，３と、オプションとして、ドレン溝９を備えている。実施形態６の固定ユニット２，３は、実施形態５の固定ユニット２，３に対応している。ドレン溝９は、底部プレート１の上側に設けられ、保護足１０のために機能する。保護足１０内の水は、ドレン溝９を通じて排出可能である。これによって、水または湿気が、溜まったり、霜の発生によって広がったり、製品アイテム１００に損傷を与えたりすることが防止できる。
【００２９】
適宜、第１の滑り止めユニット（滑り止めマット）２００を、底部プレート１の下側（１ａ）に設けることができる。また適宜、第２の滑り止めユニット（滑り止めマット）２１０を底部プレートの上側（１ｂ）に設けることができる。
【００３０】
図７は、実施形態７に係る保護足の断面を示す模式図である。この実施形態の場合、保護足１０は、底部プレート１と、一つの側壁８と、固定ユニット２，３を備えている。この形態において、本実施形態７の固定ユニット２，３は、実施形態５の固定ユニット２，３に実質的に相当する。本形態の場合、固定ユニット２，３は、底部プレート１に設けられている。
【００３１】
図８は、実施形態８に係る保護足の断面を示す模式図である。この実施形態の場合、保護足１０は、底部プレート１と一つの側壁８を備えている。この実施形態において、本実施形態８の固定ユニット２，３は、一つの側壁８に設けられている。本実施形態８の固定ユニット２，３は、実施形態５、６又は７の固定ユニット２，３に実質的に相当する。
【００３２】
製品アイテムを横方向について保護（側部保護）するため、図６の保護足１０は、船による輸送時に用いられるようにストッパプレート（複数）を受ける機能も同時に発揮可能な側壁（複数）を備えることができる。図６は、さらに、例えば、霜の膨張によって製品アイテム１００に大きな損傷を引き起こす可能性がある、湿気が溜まることを防止する、ドレン溝（排水溝）９を図示している。
【００３３】
パイロン部分セグメントは、プレキャストコンクリート製パイロン部分またはコンクリート製パイロン部分セグメントの形態とすることができ、特に、風力発電装置用である。
【００３４】
本発明のさらなる実施形態において、底部プレート１及び／又は側壁（複数）８は、約４−５ｃｍの厚さをもっている。
【００３５】
適宜、第１の滑り止めユニット（滑り止めマット）２００を、底部プレート１の下側（１ａ）に設けることができる。また適宜、第２の滑り止めユニット（滑り止めマット）２１０を底部プレートの上側（１ｂ）に設けることができる。
【００３６】
図９は、実施形態９に係る製品アイテム１００と保護足１０を示す模式図である。実施形態９の保護足１０は、前述の実施形態（複数）の一つ又はそれらの組み合わせを基礎とすることができる。
【００３７】
さらなる実施形態において、固定ユニット（拡開ユニット）（複数）は、パイロン部の端部の孔（複数）に固定可能である。これにより、工場においてもまた建設現場においても、組付（固定）と取り外しに際して容易な取り扱いが提供される。製品アイテム１００ないしコンクリート製パイロン部分１００の第１端１１０は、底部プレート１によって、荷下し時又は輸送時のチッピングから保護されることができる。
【００３８】
適宜、第１の滑り止めユニット（滑り止めマット）２００を、底部プレート１の下側（１ａ）に設けることができる。また適宜、第２の滑り止めユニット（滑り止めマット）２１０を底部プレートの上側（１ｂ）に設けることができる。
以上、本発明の一実施形態を説明したが、本発明は、上記した一実施形態に限定されるものではなく、本発明の基本的技術的思想を逸脱しない範囲で、更なる変形・置換・調整を加えることができる。
なお、上記の特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせ、ないし選択が可能である。すなわち、本発明は、請求の範囲を含む全開示、技術的思想にしたがって当業者であればなし得るであろう各種変形、修正を含むことは勿論である。
【符号の説明】
【００３９】
１  底部プレート
２，３  固定ユニット
２  拡開ユニット
３  ねじ
４  側壁、側部
５  顎部、可動顎部
６  調節ねじ
７  側壁（側部）
８  側壁（側部）
９  ドレン溝（排水溝）
１０  保護足
１００  製品アイテム、パイロンセグメント
１１０  第１端
２００  第１の滑り止めユニット（滑り止めマット）
２１０  第２の滑り止めユニット（滑り止めマット）
【図１】
0005596230.tif 000002
【図２】
0005596230.tif 000003
【図３】
0005596230.tif 000004
【図４】
0005596230.tif 000005
【図５】
0005596230.tif 000006
【図６】
0005596230.tif 000007
【図７】
0005596230.tif 000008
【図８】
0005596230.tif 000009
【図９】
0005596230.tif 000010